(57)【要約】      （修正有）【課題】使用等により小さくなった石鹸を使用しづらさから捨ててしまうことを防止し、最後まで煩わしさを感じることなく使い切る機能を有する石鹸を提供する。【解決手段】石鹸１は内部に他の石鹸２を含有することが可能な穴３を有すること等を特徴とし、当該穴に小さくなり使用しづらい石鹸を含有させる等により石鹸と小さくなり使用しづらい石鹸を一体化させる。【選択図】図１
2014084455.tif 000002
【特許請求の範囲】
【請求項１】
内部に穴をそなえることを特徴とする石鹸。
【請求項２】
表面にくぼみをそなえることを特徴とする石鹸。
【請求項３】
内部または表面に割れ目をそなえることを特徴とする石鹸。
【請求項４】
表面に凸部をそなえることを特徴とする石鹸。
【請求項５】
嵌めあい形状を有することにより、または、その他の手段により組み合わせることが可能な二つ以上の石鹸であって、組み合わせ後の状態において内部に穴をそなえることを特徴とする石鹸。
【請求項６】
嵌めあい形状を有することにより、または、その他の手段により組み合わせることが可能な二つ以上の石鹸であって、組み合わせ後の状態において表面にくぼみをそなえることを特徴とする石鹸。
【請求項７】
嵌めあい形状を有することにより、または、その他の手段により組み合わせることが可能な二つ以上の石鹸であって、組み合わせ後の状態において内部または表面に割れ目をそなえることを特徴とする石鹸。
【請求項８】
嵌めあい形状を有することにより、または、その他の手段により組み合わせることが可能な二つ以上の石鹸であって、組み合わせ後の状態において表面に凸部をそなえることを特徴とする石鹸。
【発明の詳細な説明】
【技術分野】
【０００１】
本発明は使用等により使用しづらい大きさにまで小さくなった石鹸等を、自身と一体化させることで煩わしさを感じることなく最後まで使い切る機能を有する石鹸に関するものである。
【背景技術】
【０００２】
従来、使用等により使用しづらい大きさにまで小さくなった石鹸等を最後まで使い切る機能を有する石鹸は知られていない。
【発明の概要】
【発明が解決しようとする課題】
【０００３】
使用等により使用しづらい大きさにまで小さくなった石鹸、また、元々使用しづらい大きさに製造された小さな石鹸など使用しようとする石鹸が使用しづらい石鹸であることがしばしばある。
【０００４】
これらの石鹸は使用しづらいため最後まで使用せず捨ててしまうことがよくある。特に、元々使用しづらい大きさに製造された小さな石鹸などは未使用のまま捨ててしまうこともよくある。
【０００５】
また、これらの石鹸は捨ててしまわず使用する場合も、使用しづらい、なかなか泡立たない等のため他の石鹸と付着させて、つまり一体化させて使用することがしばしばである。しかし従来の石鹸は他の石鹸を付着させて一体化させた状態での使用においても、付着させて一体化させる前のそれぞれの石鹸に離れてしまうことのないような特別な機能や形状は有していない。したがって使用によって作用する力により付着させて一体化させた石鹸は付着させて一体化させる前のそれぞれの石鹸に離れてしまうことがしばしばである。
【０００６】
また、使用等により使用しづらい大きさにまで小さくなった石鹸、また、元々使用しづらい大きさに製造された小さな石鹸などを使用するときは、当該小さな石鹸の他に別の石鹸も同時に使用し複数の状態で使用することもしばしばである。その際、それらの石鹸の保管方法は、石鹸を置いておくために市販されている皿状の用品等にそれらの石鹸を一緒に置いておくことが通常である。しかし石鹸を置いておくために市販されている皿状の用品等は一つの石鹸を置いておくことに適した大きさに製造されている。したがって石鹸を置いておくために市販されている皿状の用品等に複数の石鹸を置いておく保管方法では、当該用品等から石鹸を取る際または当該用品等に石鹸を置く際に、石鹸が当該用品等から落ちてしまうことがよくある。
【０００７】
本発明はこれらの問題点を解決し、煩わしさを感じることなく使用等により使用しづらい大きさにまで小さくなった石鹸、また、元々使用しづらい大きさに製造された小さな石鹸などを最後まで使い切るためのものである。
【課題を解決するための手段】
【０００８】
上記の問題点を解決するため、本発明の石鹸は内部に穴をそなえる。
【０００９】
または、上記の問題点を解決するため、本発明の石鹸は表面にくぼみをそなえる。
【００１０】
または、上記の問題点を解決するため、本発明の石鹸は内部または表面に割れ目をそなえる。
【００１１】
または、上記の問題点を解決するため、本発明の石鹸は表面に凸部をそなえる。
【００１２】
または、上記の問題点を解決するため、本発明の石鹸は組み合わせることが可能な複数からなる一式の石鹸であって、組み合わせ後の状態において内部に穴をそなえる。
【００１３】
または、上記の問題点を解決するため、本発明の石鹸は組み合わせることが可能な複数からなる一式の石鹸であって、組み合わせ後の状態において表面にくぼみをそなえる。
【００１４】
または、上記の問題点を解決するため、本発明の石鹸は組み合わせることが可能な複数からなる一式の石鹸であって、組み合わせ後の状態において内部または表面に割れ目をそなえる。
【００１５】
または、上記の問題点を解決するため、本発明の石鹸は組み合わせることが可能な複数からなる一式の石鹸であって、組み合わせ後の状態において表面に凸部をそなえる。
【発明の効果】
【００１６】
使用等により使用しづらい大きさにまで小さくなった石鹸、また、元々使用しづらい大きさに製造された小さな石鹸など使用しようとする石鹸が使用しづらい場合でも、内部に穴をそなえる請求項１に記載の本発明の石鹸は当該使用しづらい石鹸をその穴に含有することで請求項１に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項１に記載の本発明の石鹸に含有されるため、請求項１に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００１７】
使用等により使用しづらい大きさにまで小さくなった石鹸、また、元々使用しづらい大きさに製造された小さな石鹸など使用しようとする石鹸が使用しづらい場合でも、表面にくぼみをそなえる請求項２に記載の本発明の石鹸は当該使用しづらい石鹸をそのくぼみに付着させることで請求項２に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸を請求項２に記載の本発明の石鹸のくぼみに付着させるため、請求項２に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００１８】
使用等により使用しづらい大きさにまで小さくなった石鹸、また、元々使用しづらい大きさに製造された小さな石鹸など使用しようとする石鹸が使用しづらい場合でも、内部または表面に割れ目をそなえる請求項３に記載の本発明の石鹸は当該使用しづらい石鹸をその割れ目に挿入することで請求項３に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項３に記載の本発明の石鹸の割れ目に挿入されるため、請求項３に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００１９】
使用等により使用しづらい大きさにまで小さくなった石鹸、また、元々使用しづらい大きさに製造された小さな石鹸など使用しようとする石鹸が使用しづらい場合でも、表面に凸部をそなえる請求項４に記載の本発明の石鹸は当該使用しづらい石鹸をその凸部に設置することで請求項４に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸を請求項４に記載の本発明の石鹸に設置するため、請求項４に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００２０】
使用等により使用しづらい大きさにまで小さくなった石鹸、また、元々使用しづらい大きさに製造された小さな石鹸など使用しようとする石鹸が使用しづらい場合でも、組み合わせ後の状態において内部に穴をそなえる請求項５に記載の本発明の石鹸は当該使用しづらい石鹸をその穴に含有することで請求項５に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項５に記載の本発明の石鹸の組み合わせ後の石鹸に含有されるため、請求項５に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００２１】
使用等により使用しづらい大きさにまで小さくなった石鹸、また、元々使用しづらい大きさに製造された小さな石鹸など使用しようとする石鹸が使用しづらい場合でも、組み合わせ後の状態において表面にくぼみをそなえる請求項６に記載の本発明の石鹸は当該使用しづらい石鹸をそのくぼみに付着させことで請求項６に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項６に記載の本発明の石鹸の組み合わせ後の石鹸のくぼみに付着させるため、請求項６に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００２２】
使用等により使用しづらい大きさにまで小さくなった石鹸、また、元々使用しづらい大きさに製造された小さな石鹸など使用しようとする石鹸が使用しづらい場合でも、組み合わせ後の状態において内部または表面に割れ目をそなえる請求項７に記載の本発明の石鹸は当該使用しづらい石鹸をその割れ目に挿入することで請求項７に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項７に記載の本発明の石鹸の組み合わせ後の石鹸の割れ目に挿入されるため、請求項７に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【００２３】
使用等により使用しづらい大きさにまで小さくなった石鹸、また、元々使用しづらい大きさに製造された小さな石鹸など使用しようとする石鹸が使用しづらい場合でも、組み合わせ後の状態において表面に凸部をそなえる請求項８に記載の本発明の石鹸は当該使用しづらい石鹸をその凸部に設置することで請求項８に記載の本発明の石鹸と当該使用しづらい石鹸が一つの石鹸として扱える状態となる。その為、当該使用しづらい石鹸を使用しづらさから捨ててしまうことを防止できる。また、当該使用しづらい石鹸は請求項８に記載の本発明の石鹸の組み合わせ後の石鹸に設置するため、請求項８に記載の本発明の石鹸と当該使用しづらい石鹸とが分離してしまうこともない。また、石鹸を置いておくために市販されている皿状の用品等に複数の石鹸を置いておくことにより当該用品等から石鹸が落ちてしまうことも防止できる。
【図面の簡単な説明】
【００２４】
【図１】請求項１に記載の本発明の石鹸の実施の形態の一例を示す図である。
【図２】請求項２に記載の本発明の石鹸の実施の形態の一例を示す図である。
【図３】請求項３に記載の本発明の石鹸の実施の形態の一例を示す図である。
【図４】請求項４に記載の本発明の石鹸の実施の形態の一例を示す図である。
【図５】請求項5に記載の本発明の一式の石鹸の一例を示す図である。
【図６】請求項5に記載の本発明の一式の石鹸の実施の形態の一例を示す図である。
【図７】請求項6に記載の本発明の一式の石鹸の一例を示す図である。
【図８】請求項6に記載の本発明の一式の石鹸の実施の形態の一例を示す図である。
【図９】請求項７に記載の本発明の一式の石鹸の一例を示す図である。
【図１０】請求項７に記載の本発明の一式の石鹸の実施の形態の一例を示す図である。
【図１１】請求項８に記載の本発明の一式の石鹸の一例を示す図である。
【図１２】請求項８に記載の本発明の一式の石鹸の実施の形態の一例を示す図である。
【発明を実施するための形態】
【００２５】
次に請求項１に記載の本発明の石鹸の実施の形態の一例について図１により説明する。請求項１に記載の本発明の石鹸（１）は内部に穴（３）をそなえることを特徴とする石鹸である。請求項１に記載の本発明の石鹸（１）を使用するときは使用等により使用しづらい大きさにまで小さくなった石鹸、また、元々使用しづらい大きさに製造された小さな石鹸などの使用しづらい石鹸（２）を請求項１に記載の本発明の石鹸（１）の穴（３）に含有させる。この様にすることで、当該使用しづらい石鹸（２）が請求項１に記載の本発明の石鹸（１）の穴（３）に充填され、請求項１に記載の本発明の石鹸（１）と当該使用しづらい石鹸（２）は単一の石鹸と同等のものとなる。この状態で請求項１に記載の本発明の石鹸（１）を使用することにより、当該使用しづらい石鹸（２）を煩わしさを感じることなく最後まで使い切ることが可能となる。なお、請求項１に記載の本発明の石鹸（１）の形状、大きさ等に特に制限はなく、当該使用しづらい石鹸（２）を含有する穴（３）の形状、大きさ、位置、数、角度等についても特に制限はない。
【００２６】
次に請求項２に記載の本発明の石鹸の実施の形態の一例について図２により説明する。請求項２に記載の本発明の石鹸（４）は表面にくぼみ（６）をそなえることを特徴とする石鹸である。請求項２に記載の本発明の石鹸（４）を使用するときは使用等により使用しづらい大きさにまで小さくなった石鹸、また、元々使用しづらい大きさに製造された小さな石鹸などの使用しづらい石鹸（５）を請求項２に記載の本発明の石鹸（４）のくぼみ（６）に付着させる。この様にすることで、当該使用しづらい石鹸（５）が請求項２に記載の本発明の石鹸（４）のくぼみ（６）に付着され、請求項２に記載の本発明の石鹸（４）と当該使用しづらい石鹸（５）は単一の石鹸と同等のものとなる。この状態で請求項２に記載の本発明の石鹸（４）を使用することにより、当該使用しづらい石鹸（５）を煩わしさを感じることなく最後まで使い切ることが可能となる。なお、請求項２に記載の本発明の石鹸（４）の形状、大きさ等に特に制限はなく、当該使用しづらい石鹸（５）を付着させるくぼみ（６）の形状、大きさ、位置、数、角度等についても特に制限はない。
【００２７】
次に請求項３に記載の本発明の石鹸の実施の形態の一例について図３により説明する。請求項３に記載の本発明の石鹸（７）は内部または表面に割れ目（９）をそなえることを特徴とする石鹸である。請求項３に記載の本発明の石鹸（７）を使用するときは使用等により使用しづらい大きさにまで小さくなった石鹸、また、元々使用しづらい大きさに製造された小さな石鹸などの使用しづらい石鹸（８）を請求項３に記載の本発明の石鹸（７）の割れ目（９）に挿入する。この様にすることで、当該使用しづらい石鹸（８）が請求項３に記載の本発明の石鹸（７）の割れ目（９）に挿入され、請求項３に記載の本発明の石鹸（７）と当該使用しづらい石鹸（８）は単一の石鹸と同等のものとなる。この状態で請求項３に記載の本発明の石鹸（７）を使用することにより、当該使用しづらい石鹸（８）を煩わしさを感じることなく最後まで使い切ることが可能となる。なお、請求項３に記載の本発明の石鹸（７）の形状、大きさ等に特に制限はなく、当該使用しづらい石鹸（８）を挿入する割れ目（９）の形状、大きさ、位置、数、角度等についても特に制限はない。
【００２８】
次に請求項４に記載の本発明の石鹸の実施の形態の一例について図４により説明する。請求項４に記載の本発明の石鹸（１０）は表面に凸部（１２）をそなえることを特徴とする石鹸である。請求項４に記載の本発明の石鹸（１０）を使用するときは使用等により使用しづらい大きさにまで小さくなった石鹸、また、元々使用しづらい大きさに製造された小さな石鹸などの使用しづらい石鹸（１１）を請求項４に記載の本発明の石鹸（１０）の凸部（１２）に設置する。この様にすることで、当該使用しづらい石鹸（１１）が請求項４に記載の本発明の石鹸（１０）の凸部（１２）に設置され、請求項４に記載の本発明の石鹸（１０）と当該使用しづらい石鹸（１１）は単一の石鹸と同等のものとなる。この状態で請求項４に記載の本発明の石鹸（１０）を使用することにより、当該使用しづらい石鹸（１１）を煩わしさを感じることなく最後まで使い切ることが可能となる。なお、請求項４に記載の本発明の石鹸（１０）の形状、大きさ等に特に制限はなく、当該使用しづらい石鹸（１１）を設置する凸部（１２）の形状、大きさ、位置、数、角度等についても特に制限はない。
【００２９】
次に請求項５に記載の本発明の石鹸の実施の形態の一例について図５と図６により説明する。請求項５に記載の本発明の一方の石鹸（１３）は突起部（１４）を有することを特徴とする石鹸である。請求項５に記載の本発明のもう一方の石鹸（１５）は穴部（１６）を有することを特徴とする石鹸である。請求項５に記載の本発明の一方の石鹸（１３）の突起部（１４）と請求項５に記載の本発明のもう一方の石鹸（１５）の穴部（１６）を互いに嵌めあうことにより、請求項５に記載の本発明の一方の石鹸（１３）と請求項５に記載の本発明のもう一方の石鹸（１５）は組み合わせることができる。この組み合わせ後の石鹸（１７）は請求項1に記載の本発明の石鹸（１）と同様に内部に穴（１９）をそなえることを特徴とする石鹸である。したがってこの組み合わせ後の石鹸（１７）は前記の請求項１に記載の本発明の石鹸の実施の形態の一例と同様の使用方法で、同様の効果を得ることができる。なお、請求項５に記載の本発明の一方の石鹸（１３）ともう一方の石鹸（１５）の形状、大きさ等に特に制限はなく、使用等により使用しづらい大きさにまで小さくなった石鹸、また、元々使用しづらい大きさに製造された小さな石鹸などの使用しづらい石鹸（１８）を含有する穴（１９）の形状、大きさ、位置、数、角度等についても特に制限はない。また、請求項５に記載の本発明の一方の石鹸（１３）の突起部（１４）と請求項５に記載の本発明のもう一方の石鹸（１５）の穴部（１６）についても、形状、大きさ、深さ、位置、数、角度等に特に制限はない。
【００３０】
次に請求項６に記載の本発明の石鹸の実施の形態の一例について図７と図８により説明する。請求項６に記載の本発明の一方の石鹸（２０）は突起部（２１）を有することを特徴とする石鹸である。請求項６に記載の本発明のもう一方の石鹸（２２）は穴部（２３）を有することを特徴とする石鹸である。請求項６に記載の本発明の一方の石鹸（２０）の突起部（２１）と請求項６に記載の本発明のもう一方の石鹸（２２）の穴部（２３）を互いに嵌めあうことにより、請求項６に記載の本発明の一方の石鹸（２０）と請求項６に記載の本発明のもう一方の石鹸（２２）は組み合わせることができる。この組み合わせ後の石鹸（２４）は請求項２に記載の本発明の石鹸（４）と同様に表面にくぼみ（２６）をそなえることを特徴とする石鹸である。したがってこの組み合わせ後の石鹸（２４）は前記の請求項２に記載の本発明の石鹸の実施の形態の一例と同様の使用方法で、同様の効果を得ることができる。なお、請求項６に記載の本発明の一方の石鹸（２０）ともう一方の石鹸（２２）の形状、大きさ等に特に制限はなく、使用等により使用しづらい大きさにまで小さくなった石鹸、また、元々使用しづらい大きさに製造された小さな石鹸などの使用しづらい石鹸（２５）を付着させるくぼみ（２６）の形状、大きさ、位置、数、角度等についても特に制限はない。また、請求項６に記載の本発明の一方の石鹸（２０）の突起部（２１）と請求項６に記載の本発明のもう一方の石鹸（２２）の穴部（２３）についても、形状、大きさ、深さ、位置、数、角度等に特に制限はない。
【００３１】
次に請求項７に記載の本発明の石鹸の実施の形態の一例について図９と図１０により説明する。請求項７に記載の本発明の一方の石鹸（２７）は突起部（２８）を有することを特徴とする石鹸である。請求項７に記載の本発明のもう一方の石鹸（２９）は穴部（３０）を有することを特徴とする石鹸である。請求項７に記載の本発明の一方の石鹸（２７）の突起部（２８）と請求項７に記載の本発明のもう一方の石鹸（２９）の穴部（３０）を互いに嵌めあうことにより、請求項７に記載の本発明の一方の石鹸（２７）と請求項７に記載の本発明のもう一方の石鹸（２９）は組み合わせることができる。この組み合わせ後の石鹸（３１）は請求項3に記載の本発明の石鹸（７）と同様に内部または表面に割れ目（３３）をそなえることを特徴とする石鹸である。したがってこの組み合わせ後の石鹸（３１）は前記の請求項３に記載の本発明の石鹸の実施の形態の一例と同様の使用方法で、同様の効果を得ることができる。なお、請求項７に記載の本発明の一方の石鹸（２７）ともう一方の石鹸（２９）の形状、大きさ等に特に制限はなく、使用等により使用しづらい大きさにまで小さくなった石鹸、また、元々使用しづらい大きさに製造された小さな石鹸などの使用しづらい石鹸（３２）を挿入する割れ目（３３）の形状、大きさ、位置、数、角度等についても特に制限はない。また、請求項７に記載の本発明の一方の石鹸（２７）の突起部（２８）と請求項７に記載の本発明のもう一方の石鹸（２９）の穴部（３０）についても、形状、大きさ、深さ、位置、数、角度等に特に制限はない。
【００３２】
次に請求項８に記載の本発明の石鹸の実施の形態の一例について図１１と図１２により説明する。請求項８に記載の本発明の一方の石鹸（３４）は突起部（３５）を有することを特徴とする石鹸である。請求項８に記載の本発明のもう一方の石鹸（３６）は穴部（３７）を有することを特徴とする石鹸である。請求項８に記載の本発明の一方の石鹸（３４）の突起部（３５）と請求項８に記載の本発明のもう一方の石鹸（３６）の穴部（３７）を互いに嵌めあうことにより、請求項８に記載の本発明の一方の石鹸（３４）と請求項８に記載の本発明のもう一方の石鹸（３６）は組み合わせることができる。この組み合わせ後の石鹸（３８）は請求項４に記載の本発明の石鹸（１０）と同様に表面に凸部（４０）をそなえることを特徴とする石鹸である。したがってこの組み合わせ後の石鹸（３８）は前記の請求項４に記載の本発明の石鹸の実施の形態の一例と同様の使用方法で、同様の効果を得ることができる。なお、請求項８に記載の本発明の一方の石鹸（３４）ともう一方の石鹸（３６）の形状、大きさ等に特に制限はなく、使用等により使用しづらい大きさにまで小さくなった石鹸、また、元々使用しづらい大きさに製造された小さな石鹸などの使用しづらい石鹸（３９）を設置する凸部（４０）の形状、大きさ、位置、数、角度等についても特に制限はない。また、請求項８に記載の本発明の一方の石鹸（３４）の突起部（３５）と請求項８に記載の本発明のもう一方の石鹸（３６）の穴部（３７）についても、形状、大きさ、深さ、位置、数、角度等に特に制限はない。
【符号の説明】
【００３３】
１  請求項１に記載の本発明の石鹸
２  使用等により使用しづらい大きさにまで小さくなった石鹸、また、元々使用しづらい大きさに製造された小さな石鹸などの使用しづらい石鹸
３  内部の穴
４  請求項２に記載の本発明の石鹸
５  使用等により使用しづらい大きさにまで小さくなった石鹸、また、元々使用しづらい大きさに製造された小さな石鹸などの使用しづらい石鹸
６  表面のくぼみ
７  請求項３に記載の本発明の石鹸
８  使用等により使用しづらい大きさにまで小さくなった石鹸、また、元々使用しづらい大きさに製造された小さな石鹸などの使用しづらい石鹸
９  内部または表面の割れ目
１０  請求項４に記載の本発明の石鹸
１１  使用等により使用しづらい大きさにまで小さくなった石鹸、また、元々使用しづらい大きさに製造された小さな石鹸などの使用しづらい石鹸
１２  表面の凸部
１３  請求項５に記載の本発明の一方の石鹸
１４  突起部
１５  請求項５に記載の本発明のもう一方の石鹸
１６  穴部
１７  組み合わせ後の石鹸
１８  使用等により使用しづらい大きさにまで小さくなった石鹸、また、元々使用しづらい大きさに製造された小さな石鹸などの使用しづらい石鹸
１９  内部の穴
２０  請求項６に記載の本発明の一方の石鹸
２１  突起部
２２  請求項６に記載の本発明のもう一方の石鹸
２３  穴部
２４  組み合わせ後の石鹸
２５  使用等により使用しづらい大きさにまで小さくなった石鹸、また、元々使用しづらい大きさに製造された小さな石鹸などの使用しづらい石鹸
２６  表面のくぼみ
２７  請求項７に記載の本発明の一方の石鹸
２８  突起部
２９  請求項７に記載の本発明のもう一方の石鹸
３０  穴部
３１  組み合わせ後の石鹸
３２  使用等により使用しづらい大きさにまで小さくなった石鹸、また、元々使用しづらい大きさに製造された小さな石鹸などの使用しづらい石鹸
３３  内部または表面の割れ目
３４  請求項８に記載の本発明の一方の石鹸
３５  突起部
３６  請求項８に記載の本発明のもう一方の石鹸  
３７  穴部
３８  組み合わせ後の石鹸
３９  使用等により使用しづらい大きさにまで小さくなった石鹸、また、元々使用しづらい大きさに製造された小さな石鹸などの使用しづらい石鹸
４０  表面の凸部
【図１】
2014084455.tif 000003
【図２】
2014084455.tif 000004
【図３】
2014084455.tif 000005
【図４】
2014084455.tif 000006
【図５】
2014084455.tif 000007
【図６】
2014084455.tif 000008
【図７】
2014084455.tif 000009
【図８】
2014084455.tif 000010
【図９】
2014084455.tif 000011
【図１０】
2014084455.tif 000012
【図１１】
2014084455.tif 000013
【図１２】
2014084455.tif 000014